(57)【要約】【課題】有機質肥料など悪臭物質の表面に均一に且つ容易にコーティングを行なうことが可能になり、悪臭の放散を防止する効果が高い悪臭防止用コーティング剤を提供する。【解決手段】食用油にリモネンとピネンの少なくとも一方を混合して悪臭防止用コーティング剤を調製する。リモネンあるいはピネンの溶解によって食用油の粘性を小さくすることができ、悪臭物質に噴霧等の方法を用いて、塊になったりすることなく容易に混合することができ、悪臭物質の表面に悪臭防止用コーティング剤を均一にコーティングすることができる。【選択図】　　　なし【特許請求の範囲】
【請求項１】
食用油にリモネンとピネンの少なくとも一方を混合して成ることを特徴とする悪臭防止用コーティング剤。
【請求項２】
リモネンとピネンの少なくとも一方に、芳香油、樟脳、メントウルのうち少なくとも一つを溶解して用いることを特徴とする請求項１に記載の悪臭防止用コーティング剤。
【発明の詳細な説明】
【０００１】
【発明の属する技術分野】
本発明は、肥料など悪臭物質にコーティングして使用される悪臭防止用コーティング剤に関するものである。
【０００２】
【従来の技術】
品質の優れた農作物の生産に有機質肥料の施用が有効であるのはよく知られている。なかでも動物の糞は、有効成分量が高く、成分組成は速効、緩効、遅効のバランスが良く、また土壌微生物を増やし、土の団粒化を促進し、さらに連作障害を抑制するという多くの効果を有するので、発酵乾糞肥料や家禽糞肥料など糞から作製される糞肥料が従来から多く用いられている。しかし、糞肥料などの有機質肥料は悪臭があり、特に家禽類の糞から作製される糞肥料は悪臭が強く、民家近くの農園や、家庭菜園で糞肥料が敬遠される傾向にある。
【０００３】
そこで、有機質肥料に食用油や廃糖蜜を混合し、有機質肥料の粒の表面を食用油あるいは廃糖蜜の膜でコーティングすることが試みられている。このように有機質肥料の粒の表面を食用油や廃糖蜜でコーティングすることによって、有機質肥料の表面を食用油や廃糖蜜の膜で被覆し、有機質肥料の臭気をこの食用油や廃糖蜜の膜でマスキングして閉じ込め、有機質肥料から臭気が放散されることを防ぐことができるものである。
【０００４】
【発明が解決しようとする課題】
しかし、食用油や廃糖蜜は粘性が高いため噴霧散布して混合を行なうことは困難であり、１〜２質量％の少量の食用油や廃糖蜜を有機質肥料に噴霧散布してコーティングすることは極めて難しいものであった。このため、食用油や廃糖蜜は２質量％以上の量を用いて有機質肥料と攪拌することが行なわれているが、有機質肥料の凹凸を有する粒子の表面に粘性の高い食用油や廃糖蜜を均一にコーティングすることは難しく、凹の部分のコーティングは不完全になって、この部分から臭気が放散され、悪臭の防止の効果が不十分であるという問題があった。また粘性の高い食用油や廃糖蜜が攪拌機に付着して攪拌が困難になったり、さらに食用油や廃糖蜜の粘性によって有機質肥料の粒が集合し、大きな塊となって流動性が悪くなり、計量や袋詰めの作業性に問題を生じるものであった。
【０００５】
本発明は上記の点に鑑みてなされたものであり、有機質肥料など悪臭物質の表面に均一に且つ容易にコーティングを行なうことが可能になり、悪臭の放散を防止する効果が高い悪臭防止用コーティング剤を提供することを目的とするものである。
【０００６】
【課題を解決するための手段】
本発明の請求項１に係る悪臭防止用コーティング剤は、食用油にリモネンとピネンの少なくとも一方を混合して成ることを特徴とするものである。
【０００７】
また請求項２の発明は、請求項１において、リモネンとピネンの少なくとも一方に、芳香油、樟脳、メントウルのうち少なくとも一つを溶解して用いることを特徴とするものである。
【０００８】
【発明の実施の形態】
以下、本発明の実施の形態を説明する。
【０００９】
本発明において食用油としては、サラダ油、てんぷら油など植物性油を用いるのが好ましく、これらの廃油を用いることもできる。サラダ油は綿実油、コーン油、なたね油、こめ油などからなるものであり、またてんぷら油は大豆油、なたね油、こめ油などからなるものであり、それぞれ、食用油製造会社から市販されているものをそのまま用いることができる。また廃油はこれらの食用油を揚げ油などとして使用した後に廃棄される油であり、廃油は食用油に混合して使用するのが望ましい。
【００１０】
この食用油にリモネンとピネンの少なくとも一方を混合することによって、本発明に係る悪臭防止用コーティング剤を得ることができる。リモネンはモノテルペン炭化水素の一つであって、レモン様香気のある無色の液体であり、香料の原料として使用されている。このリモネンには光学異性体があり、ｄ−リモネンが好ましいが、ｌ−、ｄｌ−のものでも使用することができる。またピネンはモノテルペン炭化水素の一つであって、木材様の特有の芳香のある無色の液体であり、香料の原料として使用されている。このピネンにはα−、β−があるが、いずれのものでも使用することができる。
【００１１】
そして本発明は、植物性の食用油とリモネンやピネンとは溶解し合うという新規な知見に基づいてなされたものである。すなわち、食用油にリモネンやピネンを混合することによって溶解させることができ、リモネンやピネンの溶解によって食用油の粘性を低下させた悪臭防止用コーティング剤を得ることができるものである。リモネンとピネンは一方を単独で用いる他、両者を混合して使用することもできる。
【００１２】
ここで、食用油の粘性の試験結果を示す。粘性度の測定は、内径が１ｍｍの射出口を有する３０ｃｃ容量の注射筒を用い、射出口を下向きにして注射筒に１０ｃｃの試料液を入れ、２５℃の室温雰囲気で、試料液が射出口から排出されるのに要する時間を計測することによって行なった。排出時間の測定は、サラダ油、その廃油、米油の各食用油について行ない、そしてこれらの各食用油にｄ−リモネンあるいはα−ピネンを３０質量％混合して溶解させたものについて行なった（尚、質量％は内掛け表示であり、例えばサラダ油に対してｄ−リモネンを３０質量％溶解するとは、サラダ油７０質量部に対してｄ−リモネンを３０質量部溶解することを意味する。以下も同じである。）。また参考のためにｄ−リモネン、α−ピネン、水道水についても測定を行なった。さらに、上記の各食用油に樟脳を、サラダ油に対しては８．７質量％、その廃油に対しては７．５質量％、米油については３．４質量％混合して溶解させたものについても同様に測定を行なった。結果を表１に示す。
【００１３】
【表１】
2004035373.tif 000002
【００１４】
表１にみられるように、食用油にｄ−リモネンを溶解させることによって排出時間を１／３〜１／７程度に短縮することができ、食用油の粘性を１／３〜１／７程度に低下させることができるものであり、また食用油にα−ピネンを溶解させることによって排出時間を１／２〜１／３程度に短縮することができ、食用油の粘性を１／２〜１／３程度に低下させることができるものであった。このように食用油にリモネンやピネンを溶解させることによって食用油の粘性を大きく低下させることができることが確認されるが、粘性を低下させる作用はリモネンのほうが大きく、リモネンを用いることがより好ましい。また、樟脳も食用油に溶解させることができるが、樟脳を食用油に溶解しても食用油の粘性に殆ど影響を与えるものではなかった。
【００１５】
次に、ｄ−リモネンやα−ピネンの溶解量と食用油の粘性の関係をみるために、サラダ油に対してｄ−リモネンやα−ピネンを１０質量％、２０質量％、３０質量％溶解し、上記と同様にして排出時間の測定を行なった。結果を表２に示す。
【００１６】
【表２】
2004035373.tif 000003
【００１７】
表２にみられるように、リモネンやピネンの溶解量の増加と共に食用油の粘性が低下することが確認される。
【００１８】
上記のように食用油にリモネンやピネンを混合・溶解して得られる悪臭防止用コーティング剤は、リモネンあるいはピネンの溶解によって粘性が小さくなっており、噴霧機を用いて霧状に噴霧することが可能になる。従って糞肥料等の有機質肥料など、粒状の悪臭物質にこの悪臭防止用コーティング剤を噴霧して、悪臭物質の表面に付着させた状態で攪拌混合することによって、悪臭物質の粒の表面に均一にコーティングすることができるものである。
【００１９】
食用油に対するリモネンやピネンの混合量は、特に限定されるものではないが、食用油に対して２０〜３５質量％の範囲が好ましい。リモネンやピネンの混合量が２０質量％未満であると、食用油の粘性を低下させる効果が不十分である。リモネンやピネンの混合量が３５質量％を超える場合、相対的に食用油の量が減少するので食用油のコーティング膜の形成による悪臭防止の効果が低下するおそれがあり、またリモネンやピネンは揮発性物質であるので長期保存性に問題が生じると共に、コストの面でも問題が生じるものである。そして悪臭物質に対する本発明に係る悪臭防止用コーティング剤のコーティング量は、１．０〜２．５質量％の範囲が好ましい。悪臭防止用コーティング剤のコーティング量が１．０質量％未満であると、コーティングが不十分になって悪臭の放散を十分に防ぐことが難しい。逆に悪臭防止用コーティング剤のコーティング量が２．５質量％を超えても、悪臭防止の効果はそれ以上あまり増大しないので、コスト的に不利になるおそれがある。
【００２０】
ここで、本発明に係る悪臭防止用コーティング剤は上記のように粘性が低く、悪臭物質に噴霧して混合することができるため、悪臭物質の粒の表面に凹凸があっても、凹の部分にまで悪臭防止用コーティング剤を付着させてコーティングすることができるものであり、また悪臭物質に対して３質量％を超えて混合しても、悪臭防止用コーティング剤は粘性が低いため、有機質肥料の粒同士が接着して大きな塊になったり、攪拌機に付着したりするようなことがなくなるものである。
【００２１】
そしてこのように被処理材の表面に食用油からなる悪臭防止用コーティング剤を均一にコーティングすることができるために、悪臭物質の表面を均一に食用油の膜で被覆することができ、悪臭物質の臭気をこの食用油の膜でマスキングして閉じ込め、悪臭物質から臭気が放散されることを防ぐことができるものである。また悪臭防止用コーティング剤に含有されるリモネンやピネンは、わずかではあるが香気を出すので、この香気によっても悪臭物質の臭気を打ち消して、臭気の放散を防ぐことができるものである。
【００２２】
悪臭の放散は一般に温度に関係し、冬場など低温であれば悪臭の発生量が少なく、この場合には、上記のような食用油とリモネンやピネンを混合して調製した悪臭防止用コーティング剤で悪臭の発生を十分に防ぐことができる。しかし、夏場など高温時には有機質肥料などの悪臭物質に含有されている水分が蒸発する際に、悪臭防止用コーティング剤によるコーティング皮膜が剥がれて悪臭が放出されるおそれがある。
【００２３】
そこでこのときには、リモネンとピネンの少なくとも一方に芳香油、樟脳、メントウルから選ばれる芳香成分を添加して溶解した状態で、食用油に混合することによって調製される悪臭防止用コーティング剤を用いるようにしている。芳香油、樟脳、メントウルはいずれも芳香を強く発生する物質であり、食用油にリモネンやピネンの他にこれらの芳香成分を含有させて悪臭防止用コーティング剤を調製することによって、有機質肥料などの悪臭物質にコーティングした皮膜が剥がれても、悪臭を芳香成分の芳香によって打ち消すことができ、悪臭が広がることを防ぐことができるものである。
【００２４】
芳香油（アロマオイル）としてはラベンダー、グレープフルーツ、ジャスミン、ペパーミント、スイートオレンジ、ローズ、レモングラス、ローズマリー、レモン、ジャーマン・カモミールなどの植物から抽出された精油を用いることができ、これらのうち一種を用いる他、二種以上を併用することもできる。また芳香油、樟脳、メントウルは、これらのなかから一種を用いる他、二種以上を併用することもできる。これらはそれぞれ、芳香油は微量でも悪臭を打ち消す効果がある、樟脳は酸化還元の影響を受けず、長期間悪臭を打ち消す効果を持続させることができる、メントウルは短期間で匂いが消失するが、香料的匂いではなく一般に好まれる淡い匂いである、という特徴を有するので、これらの特徴を活かすように組み合わせて用いるのが望ましい。
【００２５】
食用油に芳香油、樟脳、メントウルを直接添加して混合することも可能であるが、芳香油、樟脳、メントウルはリモネンやピネンに良好に溶解するので、リモネンやピネンに芳香油、樟脳、メントウルを添加して溶解した状態で、食用油に混合することによって、食用油に芳香油、樟脳、メントウルを均一に分散させることができるものである。ちなみに、リモネンに対する樟脳の溶解度は２５質量％程度、ピネンに対する樟脳の溶解度は２７質量％程度であり、良好に溶解させることができるものである。
【００２６】
リモネンやピネンに対する芳香油、樟脳、メントウルから選ばれる芳香成分の配合量は、特に限定されるものではないが、１０〜４０質量％の範囲が好ましく、１５〜３５質量％の範囲がより好ましい。芳香成分の配合量が１０質量％未満では、芳香による悪臭を消臭する効果を十分に得ることが難しく、４０質量％を超えると、芳香成分からの芳香が強くなり過ぎて、却って逆効果になるおそれがある。
【００２７】
ここで、本発明に係る悪臭防止用コーティング剤の材料である、食用油、リモネン、ピネン、芳香油、樟脳、メントウルはいずれも、毒性を有しない安全物質であるので、悪臭防止用コーティング剤を安全に使用することができ、またこの悪臭防止用コーティング剤で肥料の表面をコーティングしても、肥効に悪影響を及ぼすことはない。
【００２８】
尚、本発明に係る悪臭防止用コーティング剤は、上記のような糞肥料などの有機質肥料の悪臭防止用に用いる他、悪臭を発する任意の物の表面にコーティングして悪臭を防止することができるものである。
【００２９】
【実施例】
次に、本発明を実施例によって具体的に説明する。
【００３０】
（実施例１）
サラダ油（リノール油脂株式会社製）０．７リットルとその廃油０．３リットルの合計１リットルの食用油に、ｄ−リモネンを０．３リットル添加し、これを攪拌して混合することによって、悪臭防止用コーティング剤を調製した。
【００３１】
また、鶉の死骸と鶉の卵殻と鶉の排泄物を混合して発酵させることによって調製される鶉糞肥料を有機質肥料として用いた。この鶉糞肥料は強烈な特有の悪臭を有するものである。そしてこの有機質肥料１００ｋｇに、上記の悪臭防止用コーティング剤の全量を噴霧し、これを攪拌機で混合することによって、有機質肥料の表面に悪臭防止用コーティング剤をコーティングした。
【００３２】
（実施例２）
ｄ−リモネン０．３リットルに樟脳７５ｇを添加して混合することによって溶解させ、これをサラダ油０．７リットルとその廃油０．３リットルの合計１リットルの食用油に添加した後、攪拌して混合することによって、悪臭防止用コーティング剤を調製した。
【００３３】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００３４】
（実施例３）
ｄ−リモネン０．３リットルに樟脳６０ｇとメントウル１５ｇを添加して混合することによって溶解させ、これをサラダ油０．７リットルとその廃油０．３リットルの合計１リットルの食用油に添加した後、攪拌して混合することによって、悪臭防止用コーティング剤を調製した。
【００３５】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００３６】
（実施例４）
ｄ−リモネン３００ｇに樟脳５０ｇとレモン精油２０ｇを添加して混合することによって溶解させ、これをサラダ油１．２ｋｇとその廃油０．３ｋｇの合計１．５ｋｇの食用油に添加した後、攪拌して混合することによって、悪臭防止用コーティング剤を調製した。
【００３７】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００３８】
（実施例５）
ｄ−リモネン３００ｇに樟脳５０ｇとラベンダー精油２０ｇを添加して混合することによって溶解させ、これをサラダ油１．２ｋｇとその廃油０．３ｋｇの合計１．５ｋｇの食用油に添加した後、攪拌して混合することによって、悪臭防止用コーティング剤を調製した。
【００３９】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００４０】
（実施例６）
ｄ−リモネン３００ｇに樟脳５０ｇとローズ精油２０ｇを添加して混合することによって溶解させ、これをサラダ油１．２ｋｇとその廃油０．３ｋｇの合計１．５ｋｇの食用油に添加した後、攪拌して混合することによって、悪臭防止用コーティング剤を調製した。
【００４１】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００４２】
（実施例７）
サラダ油０．７リットルとその廃油０．３リットルの合計１リットルの食用油に、α−ピネンを０．３リットル添加し、これを攪拌して混合することによって、悪臭防止用コーティング剤を調製した。
【００４３】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００４４】
（実施例８）
α−ピネン０．３リットルに樟脳７５ｇを添加して混合することによって溶解させ、これをサラダ油０．７リットルとその廃油０．３リットルの合計１リットルの食用油に添加した後、攪拌して混合することによって、悪臭防止用コーティング剤を調製した。
【００４５】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００４６】
（実施例９）
α−ピネン０．３リットルに樟脳６０ｇとメントウル１５ｇを添加して混合することによって溶解させ、これをサラダ油０．７リットルとその廃油０．３リットルの合計１リットルの食用油に添加した後、攪拌して混合することによって、悪臭防止用コーティング剤を調製した。
【００４７】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００４８】
（実施例１０）
α−ピネン３００ｇに樟脳５０ｇとレモン精油２０ｇを添加して混合することによって溶解させ、これをサラダ油１．２ｋｇとその廃油０．３ｋｇの合計１．５ｋｇの食用油に添加した後、攪拌して混合することによって、悪臭防止用コーティング剤を調製した。
【００４９】
そして実施例１と同様に有機質肥料１００ｋｇに、上記の悪臭防止用コーティング剤の全量を噴霧し、これを攪拌機で混合することによって、有機質肥料の表面に悪臭防止用コーティング剤をコーティングした。
【００５０】
（比較例１）
実施例１と同様な有機質肥料１００ｋｇに、サラダ油０．７リットルとその廃油０．３リットルの合計１リットルの食用油を添加し、これを攪拌機で攪拌して混合することによって、有機質肥料の表面に食用油をコーティングした。
【００５１】
（比較例２）
サラダ油０．７リットルとその廃油０．３リットルの合計１リットルの食用油に樟脳７５ｇを添加した後、攪拌して混合した。そして実施例１と同様な有機質肥料１００ｋｇに、これを添加して攪拌機で混合することによって、有機質肥料の表面に樟脳入り食用油をコーティングした。
【００５２】
上記の実施例１〜１０及び比較例１〜２でコーティング処理した有機質肥料を袋詰した。そして２日後に袋を開封し、臭いを嗅いでどのような臭気があるかを試験した。次に、そのまま３０℃の室内に８日間放置した後、同様に臭いを嗅いでどのような臭気があるかを試験した。結果を表３に示す。
【００５３】
【表３】
2004035373.tif 000004
【００５４】
表３にみられるように、各実施例のものは、悪臭防止の効果を認めることができた。一方、比較例１，２のものは有機質肥料の表面に均一なコーティングがされておらず、悪臭防止の効果が低いものであった。
【００５５】
【発明の効果】
上記のように本発明の請求項１に係る悪臭防止用コーティング剤は、食用油にリモネンとピネンの少なくとも一方を混合するようにしたので、リモネンあるいはピネンの溶解によって食用油の粘性を小さくすることができるものであり、悪臭物質に噴霧等の方法を用いて、塊になったりすることなく容易に混合することができ、悪臭物質の表面に均一にコーティングすることができるものであって、コーティング皮膜によって悪臭の放散を防止する効果を高く得ることができるものである。
【００５６】
また請求項２の発明は、請求項１において、リモネンとピネンの少なくとも一方に、芳香油、樟脳、メントウルのうち少なくとも一つを溶解して用いるようにしたので、コーティング皮膜が剥がれても、芳香油、樟脳、メントウルから発生する強い芳香で悪臭を打ち消すことができ、悪臭が広がることを防ぐことができるものである。